(57)【要約】  【課題】    跛行状態を隠蔽でき、時間や場面による使用制限がなく、長さが異なる下肢を平衡にする脚長差調整靴下の提供。 【解決手段】    靴下本体、弾性片、充填物から構成され、そのうち、該靴下本体は靴下上半部と靴下下半部を備え、該靴下本体の靴下上半部と靴下下半部上に軟性を備え、且つ弾性に優れた弾性片を付着させて固定し、開口部を備えた設置空間を形成し、該充填物を該開口部から該設置空間内部に穿入して設置し、該靴下下半部と該弾性片間に一定の高度を形成し、脚長差患者足部の高度差に合わせ、脚長差を矯正すると共に、長さが異なる下肢を平衡にすることを特徴とする。  【選択図】    図２
0003113464.tif 000002
【実用新案登録請求の範囲】
【請求項１】
靴下本体、弾性片、充填物から構成され、そのうち、該靴下本体は靴下上半部と靴下下半部を備え、該靴下本体の靴下上半部と靴下下半部上に軟性を備え、且つ弾性に優れた弾性片を付着させて固定し、開口部を備えた設置空間を形成し、該充填物を該開口部から該設置空間内部に穿入して設置し、該靴下下半部と該弾性片間に一定の高度を形成し、脚長差患者足部の高度差に合わせ、脚長差を矯正すると共に、長さが異なる下肢を平衡にすることを特徴とする、脚長差矯正靴下。
【請求項２】
前記充填物が軟性材質であり、且つ、該軟性充填物は気体、液体及び充填可能な流体を注入することができ、及び該充填物はさらに一定の体積と内部充填物質を調整し体積を変化させることができるように設ける、請求項１に記載の脚長差矯正靴下。
【請求項３】
前記弾性片と靴下本体の靴下上半部と靴下下半部間の付着・固定方式が、縫合、粘着、接着及び物体を相互に接合する関連技術である、請求項１に記載の脚長差矯正靴下。
【請求項４】
前記弾性片が弾性ナイロン布、フェルト、ニット布、スポンジ、ゴム及び弾性を備えた関連物質体である、請求項１に記載の脚長差矯正靴下。
【請求項５】
前記靴下本体が、カジュアルソックス、五本指ソックス、パンティストッキング、ルーズソックス、スポーツソックス、ハイソックス、ミニソックス、ストッキング、レッグウォーマー及び足部に着用する関連靴下本体である、請求項１に記載の脚長差矯正靴下。
【考案の詳細な説明】
【技術分野】
【０００１】
本考案は、脚長差を調整する靴下に関し、詳細には、弾性片を靴下本体の靴下上半部と靴下下半部上に付着させて固定し、靴下上半部上に開口部を形成し、軟性充填物をこの開口部から設置空間内部に入れて靴下下半部に高さを持たせ、脚長差患者の足部の高度差に合わせ、脚長差を矯正する、脚長差矯正靴下に関する。
【０００２】
本考案の脚長差矯正靴下において、軟性充填物は軟性の材質であり、脚長差患者の使用時には、両足の長さの違いにより生まれる足部圧力を分担できるだけでなく、さらに脊椎が受ける圧力を軽減し、使用時の快適さを向上すると共に、長さが異なる下肢を平衡にするものである。
【背景技術】
【０００３】
現今の足部疾病を見ると、扁平足や足部変形、両足長さの不均等（所謂脚長差）等の疾病があり、特に、発育中の児童や青少年にこれらの疾病が多く見られる。
【０００４】
また、国内の児童や青少年における脊椎湾曲の比率も極めて高く、脚長差がその主因となっており、日常生活に大きな影響をきたすだけでなく、ひどい場合には外科手術による治療が必要となる。１９８１年の医学文献によれば、患者の両足長さの差が９ｍｍ以上になると、腰痛や背中下部の痛みを患いやすいとされており、また患者が例えば教師や接客係、販売員、警察、看護士、運動員等の日常的に長時間立ったり歩行したりする仕事に従事している場合、両足長差の差が３−５ｍｍで患者は一般人に比べ腰痛や背中下部の痛みといった症状が出やすくなる。
【０００５】
脚長差はその症状が軽い場合、現行の治療方法の多くが靴の内部にパッドを入れるか、底上げ靴履くことで改善を行っている。図１に示すように、靴Ａに２層の靴底Ａ１を設け、脚長差患者が短いほうの足部でこれを履くと、両足が平衡になる。且つ、この靴底Ａ１は、脚長差の差分距離に合わせて靴底Ａ１の数量を増減することができるが、このような層状の靴底Ａ１は、児童や青少年にとって、二足歩行時の靴の重量が不均等になるため、歩行時の転倒や重心が不安定になる現象が発生しやすく、また、靴底Ａ１の高さの調整が容易ではないため、異なる脚長差やリハビリ過程における脚長差の変化に精確に対応し合わせることができない。
【０００６】
また、靴の内部にパッドを設置したり、底上げ靴を履いたりという方法は、脚長差患者はその使用においてまず靴を履かなければならないという前提があるが、一日のうち靴を履いている時間には限りがあるため、その調整矯正の成果も相対的に限られてしまう。且つ、患者が靴を脱がなければならない場面に遭遇した場合、脚長差が跛行を余儀なくし、他人から異様な目で見られたり、心配されたりすることが患者に身体的な苦痛だけでなく、精神的な苦痛を与えたり、自尊心を傷つけたりすることで無情な二次傷害が発生する。
【考案の開示】
【考案が解決しようとする課題】
【０００７】
このため、本考案の目的は、跛行状態を隠蔽でき、時間や場面による使用制限がなく、長さが異なる下肢を平衡にする脚長差調整靴下を提供することにある。
【課題を解決するための手段】
【０００８】
靴下本体、弾性片、充填物から構成され、そのうち、該靴下本体は靴下上半部と靴下下半部を備え、該靴下本体の靴下上半部と靴下下半部上に軟性を備え、且つ弾性に優れた弾性片を付着させて固定し、開口部を備えた設置空間を形成し、該充填物を該開口部から該設置空間内部に穿入して設置し、該靴下下半部と該弾性片間に一定の高度を形成し、脚長差患者足部の高度差に合わせ、脚長差を矯正すると共に、長さが異なる下肢を平衡にすることを特徴とする。
【考案の効果】
【０００９】
本考案の進歩性と実用性をよりはっきりと示すため、以下、従来品と比較して分析する。
《従来品の欠点》
一、多層構造の靴底を使用し矯正を行う。
二、第1点を受け、歩行時に両足の重心が不安定になりやすい。
三、第1点を受け、歩行時に転倒などの事故が起きやすい。
四、第1点を受け、脚長差における高度差の調整が困難である。
五、第1点を受け、足部が受ける圧力が大きい。
六、特定の調整靴を使用しなければならず、一般の靴を履くことができない。
七、靴を履いているときに効果が限られ、靴を脱いだとき跛行を隠蔽することができない。
八、靴を履いているときに効果が限られ、靴を履いている時間には限りがある。
九、靴を履いているときに効果が限られ、靴を履いている場面には限りがある。
【００１０】
《本考案の利点》
一、あらゆる師範の靴に組み合わせて使用できる。
二、靴を履いているときに効果が限られず、着用時間に制限がない。
三、靴を履いているときに効果が限られず、着用場合に制限がない。
四、靴を脱ぐ必要がある場所においても跛行を隠蔽でき、人目を引かず、患者の自尊心が傷つくことがない。
五、いつでもどこでも脚長差、脊椎を平衡にすることができ、且つ、調整方法も迅速である。
六、充填物は軟性材質であり、足部の圧力を軽減できる。
七、第3点を受け、脊椎に対する快適さに優れている。
八、洗浄、交換を迅速・便利に行うことができ、使用も容易である。
九、進歩性と実用性を兼ね備えている。
十、産業的競争力を向上できる。    
【考案を実施するための最良の形態】
【００１１】
以下、本考案について図面と具体的な実施例に基づき、詳細に説明する。
【実施例１】
【００１２】
本考案の脚長差調整靴下は、図２及び図３に示すように、靴下本体Ｂ、弾性片Ｃ及び充填物Ｆから構成される。
【００１３】
そのうち、靴下本体Ｂは、靴下上半部Ｂ１と靴下下半部Ｂ２を備え、靴下本体Ｂ内部の靴下上半部Ｂ１と靴下下半部Ｂ２上に軟性を備え、且つ弾性に優れた弾性片Ｃを付着させて固定し、開口部Ｄを備えた設置空間Ｅを形成する。さらに、充填物Ｆをこの開口部Ｄから設置空間Ｅ内部に入れ、靴下下半部Ｂ２と弾性片Ｄ間に一定の高度を形成することで、脚長差患者足部の高度差に合わせ、脚長差を矯正するという目的を達することを特徴とする。
【００１４】
そのうち、この充填物Ｆは軟性材質とし、脚長差患者の使用時において、両足の長さの不均等により生まれる足部圧力を分担することができるほか、さらに脊椎が受ける圧力を軽減することができ、使用時の快適さを向上する。また、その内部には気体や液体、及び関連する充填可能な流体を注入でき、さらにこの充填物Ｆは、一定の体積と内部の充填物質を調整し体積が変化させることができるように設ける。
【００１５】
そのうち、弾性片Ｃと靴下本体Ｂの靴下上半部Ｂ１と靴下下半部Ｂ２間の付着固定方法は、縫合、粘着、接着及びその他物体を相互に接合する関連技術を用いることができるものとする。
【００１６】
そのうち、弾性片Ｃはさらに、弾性ナイロン布、フェルト布、ニット布、スポンジ、ゴム及び弾性を備えた関連物質とすることができる。
【００１７】
そのうち、靴下本体Ｂはさらに、カジュアルソックス、五本指ソックス、パンティストッキング、ルーズソックス、スポーツソックス、ハイソックス、ミニソックス、ストッキング、レッグウォーマー及び足部に着用する関連靴下の本体とすることができる。
【００１８】
本考案の使用方法を図４、図４−１、図４−２にそれぞれ示す。充填物Ｆを靴下本体Ｂの設置空間Ｅ内に設置し、靴下下半部Ｂ２と弾性片Ｃ間に一定の高度を形成する。また、靴下本体Ｂは靴Ｉ内部にあるとき、その靴下上半部Ｂ１上の開口部Ｄが靴クッション部Ｉ１の高さより高い位置にあるため、歩行時には充填物Ｆが靴下下半部Ｂ２と靴Ｉに密着する。
【００１９】
図５に示すように、異なる種類の靴下本体G、H内部の靴下上半部Ｇ１、Ｈ１と靴下下半部Ｇ２、Ｈ２上に、軟性を備え、且つ弾性に優れた弾性片Ｃを付着させて固定し、開口部Ｄを備えた設置空間Ｅを形成する。さらに充填物Ｆを開口部Ｄから穿入して設置空間Ｅ内部に設置し、靴下下半部Ｇ２、Ｈ２と弾性片Ｄ間に一定の高度を形成し、脚長差患者足部の高度差に対応して脚長差を矯正するという目的が達せられる。
【実施例２】
【００２０】
図６及び図７に示すように、軟性を備え、且つ弾性に優れた弾性片Ｃを靴下本体Ｂ外側の靴下上半部Ｂ１と靴下下半部Ｂ２上に付着させて固定し、開口部Ｄを備えた設置空間Ｅを形成してもよい。そしてさらに充填物Ｆを開口部Ｄから穿入して設置空間Ｅ内部に設置し、靴下下半部Ｂ２と弾性片Ｄ間に一定の高度を形成し、脚長差患者足部の高度差に対応して脚長差を矯正するという目的を達すると共に、長さが不均等な下肢を平衡にすることができる。
【００２１】
以上の説明は本考案の最良の実施例に基づくものであり、本考案の権利の範囲を制限するものではなく、本考案の明細書及び図面の内容を運用した同等効果を得るあらゆる構造を、直接的または間接的にその他関連技術領域に運用したものはすべて、本考案の要旨の範囲内に含まれるものとみなす。
【００２２】
上述のように、本考案は従来技術を突破する構造において、確実に意図する効果を得ることができ、また、当該技術領域を熟知した者でなくとも容易に理解することができる。さらに、本考案はその出願前に公開されたことがなく、その進歩性、実用性は実用新案登録出願の要件を満たしており、法に基づきここに実用新案登録を出願するものである。
【図面の簡単な説明】
【００２３】
【図１】従来の脚長差調整靴の立体外観図である。
【図２】本考案の立体透視図である。
【図３】本考案の立体断面図である。
【図４】本考案の使用時の状態を示す立体断面図である。
【図４−１】本考案の靴下の上に靴を着用した状態を示す側面図である。
【図４−２】図４−１の側面断面図である。
【図５】本考案を異なる種類の靴下に実施した状態を示す立体透視図である。
【図６】本考案の設置空間の別の実施例を示す立体透視図である。
【図７】図６の側面断面図である。
【符号の説明】
【００２４】
A            靴
A１          靴底
Ｂ、Ｇ、Ｈ    靴下本体
Ｂ１、Ｇ１、Ｈ１  靴下上半部
Ｂ２、Ｇ２、Ｈ２  靴下下半部
Ｃ          弾性片
D          開口部
E          設置空間
F          充填物
I          靴
I１        靴クッション部
【図１】
0003113464.tif 000003
【図２】
0003113464.tif 000004
【図３】
0003113464.tif 000005
【図４】
0003113464.tif 000006
【図４−１】
0003113464.tif 000007
【図４−２】
0003113464.tif 000008
【図５】
0003113464.tif 000009
【図６】
0003113464.tif 000010
【図７】
0003113464.tif 000011